(57)【要約】【課題】  正確なＬＰＰ信号の検出を行なう信号処理装置および情報処理装置を提供する。【解決手段】  光ディスクに形成されたランドプリピット（ＬＰＰ）信号の検出処理を実行する信号検出構成において、ディスクからの読み取り信号に含まれるランドプリピット（ＬＰＰ）信号とノイズ成分の差分拡大を、例えば２乗回路によって実行する。２乗回路の処理信号をゲイン調整してコンパレータに入力し、予め設定された閾値との比較を実行して２値化ＬＰＰ信号を出力する。本構成により、ＲＦ信号やウォブル信号などによる比較的大きなノイズ成分が含まれる場合であっても、ＬＰＰ信号とノイズ信号との差分が拡大され、正確なＬＰＰ信号の検出が可能となる。【選択図】  図３
2007048384.tif 000002
【特許請求の範囲】
【請求項１】
光ディスクに形成されたランドプリピット（ＬＰＰ）信号の検出処理を実行する信号検出装置であり、
光ディスクからの読み取り信号に含まれるランドプリピット（ＬＰＰ）信号とノイズ成分の差分拡大を行なう非線形信号処理部と、
前記非線形信号処理部の処理信号と、予め設定された閾値との比較により、２値化ＬＰＰ信号を出力するコンパレータと、
を有することを特徴とする信号検出装置。
【請求項２】
前記非線形信号処理部は、２乗回路によって構成されていることを特徴とする請求項１に記載の信号検出装置。
【請求項３】
前記信号検出装置は、さらに、
ゲイン制御部を有し、
前記非線形信号処理部の出力信号のゲイン制御を実行し、該ゲイン制御信号を前記コンパレータに入力する構成であることを特徴とする請求項１に記載の信号検出装置。
【請求項４】
前記信号検出装置は、さらに、
光ディスクからの読み取り信号のゲイン制御を実行するゲイン制御部を有し、
前記非線形信号処理部は、前記ゲイン制御部において生成したゲイン制御信号に対する非線形処理を実行する構成であることを特徴とする請求項１に記載の信号検出装置。
【請求項５】
前記信号検出装置は、さらに、
光ディスクからの読み取り信号に対する半波整流処理を実行する半波整流部を有し、
前記非線形信号処理部は、前記半波整流部において生成した半波整流信号に対する非線形処理を実行する構成であることを特徴とする請求項１に記載の信号検出装置。
【請求項６】
前記信号検出装置は、さらに、
前記非線形信号処理部の出力信号のゲイン制御を実行するゲイン制御部を有し、
該ゲイン制御部は、
前記非線形信号処理部の処理信号を入力し積分処理を実行する積分回路と、
前記積分回路から出力されるアナログ信号をデジタル変換するＡ／Ｄ変換部と、
前記Ａ／Ｄ変換部の出力デジタル値に基づいて、前記非線形信号処理部の出力信号に適用するゲイン制御パラメータとしてのゲイン調整値を出力するゲイン調整値出力部とを有する構成であり、
前記ゲイン制御部は、
前記非線形信号処理部の出力信号に応じたゲイン制御を実行し、該ゲイン制御信号を前記コンパレータに入力する構成であることを特徴とする請求項１に記載の信号検出装置。
【請求項７】
光ディスクに対する情報記録または光ディスクからの情報再生処理を実行する情報処理装置であり、
情報記録媒体からのデータ読み取りを実行するピックアップと、
前記ピックアップの読み取り信号を入力し、該入力信号に含まれるランドプリピット（ＬＰＰ）信号とノイズ成分の差分拡大を行なう非線形信号処理部と、
前記非線形信号処理部の処理信号と、予め設定された閾値との比較により、２値化ＬＰＰ信号を出力するコンパレータと、
前記コンパレータから出力される２値化ＬＰＰ信号に基づくアドレス検出を実行する制御部と、
を有することを特徴とする情報処理装置。
【請求項８】
前記非線形信号処理部は、２乗回路によって構成されていることを特徴とする請求項７に記載の情報処理装置。
【請求項９】
前記情報処理装置は、さらに、
ゲイン制御部を有し、
前記非線形信号処理部の出力信号のゲイン制御を実行し、該ゲイン制御信号を前記コンパレータに入力する構成であることを特徴とする請求項７に記載の情報処理装置。
【請求項１０】
前記情報処理装置は、さらに、
光ディスクからの読み取り信号のゲイン制御を実行するゲイン制御部を有し、
前記非線形信号処理部は、前記ゲイン制御部において生成したゲイン制御信号に対する非線形処理を実行する構成であることを特徴とする請求項７に記載の情報処理装置。
【請求項１１】
前記情報処理装置は、さらに、
光ディスクからの読み取り信号に対する半波整流処理を実行する半波整流部を有し、
前記非線形信号処理部は、前記半波整流部において生成した半波整流信号に対する非線形処理を実行する構成であることを特徴とする請求項７に記載の情報処理装置。
【請求項１２】
前記情報処理装置は、さらに、
前記非線形信号処理部の出力信号のゲイン制御を実行するゲイン制御部を有し、
該ゲイン制御部は、
前記非線形信号処理部の処理信号を入力し積分処理を実行する積分回路と、
前記積分回路から出力されるアナログ信号をデジタル変換するＡ／Ｄ変換部と、
前記Ａ／Ｄ変換部の出力デジタル値に基づいて、前記非線形信号処理部の出力信号に適用するゲイン制御パラメータとしてのゲイン調整値を出力するゲイン調整値出力部とを有する構成であり、
前記ゲイン制御部は、
前記非線形信号処理部の出力信号に応じたゲイン制御を実行し、該ゲイン制御信号を前記コンパレータに入力する構成であることを特徴とする請求項７に記載の情報処理装置。
【発明の詳細な説明】
【技術分野】
【０００１】
本発明は、信号検出装置、および情報処理装置に関する。さらに詳細には、光ディスクなどの情報記録媒体のアドレス信号として用いられるＬＰＰ（ランドプリピット）信号の検出を、より高精度に実行する信号検出装置、および情報処理装置に関する。
【背景技術】
【０００２】
ＤＶＤなどの情報記録媒体を適用して情報記録や再生を行なう際、ピックアップを所定のディスク位置に制御することが必要となる。例えば、ディスクの記録面にはレーザ光を案内するためのプリグルーブ（溝）が形成される。プリグルーブは所定の周期でウォブル（うねり）持つグルーブとして設定されている。すなわちウォブル変調がなされて形成されている。
【０００３】
さらに、グルーブ間の領域であるランド部には、ＬＰＰ（ランドプリピット）が記録される。ウォブル周期信号や、ＬＰＰ（ランドプリピット）に基づいて得られる所定周期のＬＰＰ信号は、ピックアップの位置制御信号として用いられる。
【０００４】
ＬＰＰは、所定間隔でディスク上に記録され、この信号検出は、光ピックアップに入力された光信号を複数個に分割された光検出素子において受光し、各検出素子の光検出強度情報を用いてＬＰＰ成分を検出する。ＬＰＰ信号部においては、所定のピークが検出され、このピーク信号を所定の閾値でスライスしてＬＰＰ２値化信号を生成してＬＰＰ検出を行なう手法が一般的なＬＰＰ信号検出手法である。
【０００５】
しかし、情報記録媒体から読み取られる信号には、記録データなどのＲＦ信号成分、前述のウォブル信号に基づくウォブル信号成分、さらにＬＰＰ信号、その他のノイズ信号などが混在した信号となる。図１に光ディスクから読み取られる信号例を示す。図１は、データの記録された光ディスクからの読み取り信号波形の時間推移に伴う変化を示している。横軸に時間（ｔ）、縦軸が信号強度（ａｍｐｌｉｔｕｄｅ）度を示している。
【０００６】
この読み取り信号において、ピーク部の信号１１がＬＰＰ信号に相当する。ピーク信号を所定の閾値でスライスしてＬＰＰ２値化信号を生成してＬＰＰ検出を行なう。例えば閾値（Ｔｈ１）を設定すれば、正しいＬＰＰ信号１１のみをＬＰＰ信号として検出することができる。しかし、例えば閾値（Ｔｈ２）の設定とした場合には、本来のＬＰＰ信号とは異なるＲＦ信号やウォブル信号などに相当するノイズ信号１２がＬＰＰ信号として誤検出されてしまう。このように、記録データとしてのＲＦ信号、前述のウォブル信号に基づくウォブル信号成分、さらにＬＰＰ信号、その他のノイズ信号などが混在した信号から、正確にＬＰＰ信号を検出することが困難となる場合がある。ＬＰＰ信号の検出に失敗した場合、正確なアドレス制御が実行されず、データの記録、再生エラーを発生させる要因となる。
【発明の開示】
【発明が解決しようとする課題】
【０００７】
本発明は、上述の問題点に鑑みてなされたものであり、光ディスクなどの情報記録媒体におけるアドレス信号として用いられるＬＰＰ（ランドプリピット）信号の検出を、より高精度に実行する信号検出装置、および情報処理装置を提供することを目的とする。
【課題を解決するための手段】
【０００８】
本発明の第１の側面は、
光ディスクに形成されたランドプリピット（ＬＰＰ）信号の検出処理を実行する信号検出装置であり、
光ディスクからの読み取り信号に含まれるランドプリピット（ＬＰＰ）信号とノイズ成分の差分拡大を行なう非線形信号処理部と、
前記非線形信号処理部の処理信号と、予め設定された閾値との比較により、２値化ＬＰＰ信号を出力するコンパレータと、
を有することを特徴とする信号検出装置にある。
【０００９】
さらに、本発明の信号検出装置の一実施態様において、前記非線形信号処理部は、２乗回路によって構成されていることを特徴とする。
【００１０】
さらに、本発明の信号検出装置の一実施態様において、前記信号検出装置は、さらに、ゲイン制御部を有し、前記非線形信号処理部の出力信号のゲイン制御を実行し、該ゲイン制御信号を前記コンパレータに入力する構成であることを特徴とする。
【００１１】
さらに、本発明の信号検出装置の一実施態様において、前記信号検出装置は、さらに、光ディスクからの読み取り信号のゲイン制御を実行するゲイン制御部を有し、前記非線形信号処理部は、前記ゲイン制御部において生成したゲイン制御信号に対する非線形処理を実行する構成であることを特徴とする。
【００１２】
さらに、本発明の信号検出装置の一実施態様において、前記信号検出装置は、さらに、光ディスクからの読み取り信号に対する半波整流処理を実行する半波整流部を有し、前記非線形信号処理部は、前記半波整流部において生成した半波整流信号に対する非線形処理を実行する構成であることを特徴とする。
【００１３】
さらに、本発明の信号検出装置の一実施態様において、前記信号検出装置は、さらに、前記非線形信号処理部の出力信号のゲイン制御を実行するゲイン制御部を有し、該ゲイン制御部は、前記非線形信号処理部の処理信号を入力し積分処理を実行する積分回路と、前記積分回路から出力されるアナログ信号をデジタル変換するＡ／Ｄ変換部と、前記Ａ／Ｄ変換部の出力デジタル値に基づいて、前記非線形信号処理部の出力信号に適用するゲイン制御パラメータとしてのゲイン調整値を出力するゲイン調整値出力部とを有する構成であり、前記ゲイン制御部は、前記非線形信号処理部の出力信号に応じたゲイン制御を実行し、該ゲイン制御信号を前記コンパレータに入力する構成であることを特徴とする。
【００１４】
さらに、本発明の第２の側面は、
光ディスクに対する情報記録または光ディスクからの情報再生処理を実行する情報処理装置であり、
情報記録媒体からのデータ読み取りを実行するピックアップと、
前記ピックアップの読み取り信号を入力し、該入力信号に含まれるランドプリピット（ＬＰＰ）信号とノイズ成分の差分拡大を行なう非線形信号処理部と、
前記非線形信号処理部の処理信号と、予め設定された閾値との比較により、２値化ＬＰＰ信号を出力するコンパレータと、
前記コンパレータから出力される２値化ＬＰＰ信号に基づくアドレス検出を実行する制御部と、
を有することを特徴とする情報処理装置にある。
【００１５】
さらに、本発明の情報処理装置の一実施態様において、前記非線形信号処理部は、２乗回路によって構成されていることを特徴とする。
【００１６】
さらに、本発明の情報処理装置の一実施態様において、前記情報処理装置は、さらに、ゲイン制御部を有し、前記非線形信号処理部の出力信号のゲイン制御を実行し、該ゲイン制御信号を前記コンパレータに入力する構成であることを特徴とする。
【００１７】
さらに、本発明の情報処理装置の一実施態様において、前記情報処理装置は、さらに、光ディスクからの読み取り信号のゲイン制御を実行するゲイン制御部を有し、前記非線形信号処理部は、前記ゲイン制御部において生成したゲイン制御信号に対する非線形処理を実行する構成であることを特徴とする。
【００１８】
さらに、本発明の情報処理装置の一実施態様において、前記情報処理装置は、さらに、光ディスクからの読み取り信号に対する半波整流処理を実行する半波整流部を有し、前記非線形信号処理部は、前記半波整流部において生成した半波整流信号に対する非線形処理を実行する構成であることを特徴とする。
【００１９】
さらに、本発明の情報処理装置の一実施態様において、前記情報処理装置は、さらに、前記非線形信号処理部の出力信号のゲイン制御を実行するゲイン制御部を有し、該ゲイン制御部は、前記非線形信号処理部の処理信号を入力し積分処理を実行する積分回路と、前記積分回路から出力されるアナログ信号をデジタル変換するＡ／Ｄ変換部と、前記Ａ／Ｄ変換部の出力デジタル値に基づいて、前記非線形信号処理部の出力信号に適用するゲイン制御パラメータとしてのゲイン調整値を出力するゲイン調整値出力部とを有する構成であり、前記ゲイン制御部は、前記非線形信号処理部の出力信号に応じたゲイン制御を実行し、該ゲイン制御信号を前記コンパレータに入力する構成であることを特徴とする。
【００２０】
本発明のさらに他の目的、特徴や利点は、後述する本発明の実施例や添付する図面に基づくより詳細な説明によって明らかになるであろう。
【発明の効果】
【００２１】
本発明の一実施例の構成によれば、光ディスクに形成されたランドプリピット（ＬＰＰ）信号の検出処理を実行する信号検出構成において、ディスクからの読み取り信号に含まれるランドプリピット（ＬＰＰ）信号とノイズ成分の差分拡大を、例えば２乗回路などの非線形信号処理によって実行する。２乗回路の処理信号をゲイン調整してコンパレータに入力し、予め設定された閾値との比較を実行して２値化ＬＰＰ信号を出力する。本構成により、ディスクからの読み取り信号にＲＦ信号やウォブル信号などの比較的大きなノイズ成分が含まれる場合であっても、ＬＰＰ信号とノイズ信号との差分が拡大され、正確なＬＰＰ信号の検出が可能となる。
【発明を実施するための最良の形態】
【００２２】
以下、図面を参照しながら本発明の信号検出装置、および情報処理装置の詳細について説明する。
【００２３】
図２は、本発明の一実施例に係る情報処理装置におけるＬＰＰ（ランドプリピット）信号の検出およびサーボ制御構成を示すブロック図である。情報処理装置は、例えばＤＶＤ等の光ディスク１００を装着し、ピックアップ１０１によりデータ再生、またはデータ記録を行なう。光ディスク１００の記録面にはレーザ光を案内するためのプリグルーブ（溝）が形成されており、プリグルーブは所定の周期でウォブル（うねり）持つグルーブとして設定されている。さらに、グルーブ間の領域であるランド部には、ＬＰＰ（ランドプリピット）が記録されており、データ記録再生を実行する情報処理装置は、ウォブル周期信号や、ＬＰＰ（ランドプリピット）に基づいて得られる所定周期のＬＰＰ信号に基づく検出アドレスに従って、ピックアップのサーボ、位置制御を行う。
【００２４】
ピックアップ１０１は、光ディスク１００からの反射光を読み取り信号処理部１０２に入力する。読み取り信号処理部１０２は、読み取り信号から得られるウォブル信号などに基づくサーボエラー信号をサーボ制御部１０５に送出すると共に、読み取り信号をＬＰＰ（ランドプリピット）信号検出部１０３に出力する。
【００２５】
サーボ制御部１０５は、読み取り信号処理部１０２から入力するサーボ信号に基づいて光ピックアップ１０１のビームスポットを光ディスク１００の記録面に形成されたデータトラックに沿って移動させる。また、サーボ制御部１０５は、サーボエラー信号に基づいてトラッキング制御およびフォーカス制御を行なう。
【００２６】
ＬＰＰ信号処理部１０３は読み取り信号処理部１０２からの供給信号に基づくＬＰＰ信号の検出を行い、２値化ＬＰＰ信号を生成して、２値化ＬＰＰ信号をシステム制御部１０４に送出する。システム制御部１０４は、ＬＰＰ信号検出部１０３から入力する２値化ＬＰＰ信号に基づくアドレス検出を実行し、アドレス情報に基づいて、光ディスク１０１における記録または再生位置を検知して、アドレス制御に基づくデータ記録、またはデータ再生を行なう。
【００２７】
図３に、本発明の一実施例の信号検出装置としてのＬＰＰ信号検出部の回路構成を示す。図３に示すＬＰＰ信号検出部は、半波整流部２０１、２乗処理部２０２、ゲイン制御部２０３、閾値出力部２０６、コンパレータ２０７を有する。ゲイン制御部２０３は、ゲインコントロールアンプ（ＧＣＡ）２０４と、ゲイン調整値出力部２０５を有する。
【００２８】
入力信号（ＩＮ）は、レベル変動とＲＦの漏れ込み、ウォブル信号、その他のノイズを含んだ入力信号であり端子ＩＮより入力され、負の半波整流部２０１に入力される。負の半波整流部２０１では、入力信号（ＩＮ）に対して、負の半波整流を行ない、負の振幅成分のみの負の半波整流信号（Ｘ）を生成し、２乗処理部２０２に出力する。
【００２９】
入力信号（ＩＮ）は、例えば先に図１を参照して説明したレベル変動とＲＦの漏れ込み、ウォブル信号、その他のノイズを含んだ入力信号であり、半波整流部２０１の出力する負の半波整流信号（Ｘ）は、例えば図４に示す信号となる。図４は、半波整流部２０１の出力する負の半波整流信号（Ｘ）の時間推移を示している。横軸に時間（ｔ）、縦軸が信号強度（ａｍｐｌｉｔｕｄｅ）度を示している。負の半波整流処理により、入力信号（ＩＮ）は、負の振幅成分のみの信号となる。ちなみに、ピークを示す信号部２５１がＬＰＰ信号部である。この、半波整流信号（Ｘ）において、ＬＰＰ信号と異なる最大ノイズ信号２５２との差分はΔａとなる。
【００３０】
半波整流部２０１の出力する負の半波整流信号（Ｘ）は、２乗処理部２０２に出力され、２乗処理部２０２において、半波整流信号（Ｘ）の２乗処理が実行され、２乗信号（Ｘ２）が生成されて出力される。２乗処理部２０２における２乗処理の結果、生成される２乗信号（Ｘ２）を図５に示す。
【００３１】
２乗処理部２０２の生成する２乗信号（Ｘ２）は、図５に示すように、ＬＰＰ信号部に相当するピークを示す信号部２７１が、図４に示した半波整流信号（Ｘ）より大きく突出した信号となる。図５に示す２乗信号（Ｘ２）では、ＬＰＰ信号２７１と、ＬＰＰ信号と異なる最大ノイズ信号２７２との差分はΔｂとなり、先に、図４を参照して説明した負の半波整流信号（Ｘ）におけるＬＰＰ信号２５１と最大ノイズ信号２５２との差分Δａより拡大している。すなわち、ＬＰＰ信号とノイズとの差が大きくなり、正確なＬＰＰ検出が可能となる。
【００３２】
２乗処理部２０２において生成された２乗信号（Ｘ２）は、図３に示すように、ゲイン制御部２０３に入力され、ゲイン調整値出力部２０５の出力する所定のゲイン調整値（Ｇ）を適用し、ゲインコントロールアンプ（ＧＣＡ）２０４においてゲイン制御がなされてゲイン制御出力値（Ｇ・Ｘ２）が生成され、このゲイン制御出力値（Ｇ・Ｘ２）がコンパレータ２０７に入力される。このゲイン制御処理は、コンパレータ２０７に対する入力レベルを一定に保持するための処理である。
【００３３】
コンパレータ２０７では、ゲイン制御部２０３から入力するゲイン制御出力値（Ｇ・Ｘ２）と、閾値出力部２０６の出力する所定の閾値（Ｔｈ）との比較によるスライス処理がなされ、２値化ＬＰＰ信号を出力する。閾値出力部２０６の出力する所定の閾値（Ｔｈ）は、例えば、図５に示す閾値（Ｔｈ）に相当する。
【００３４】
この２値化ＬＰＰ信号は、図１に示すシステム制御部１０４に入力され、入力ＬＰＰ信号に基づいて算出されるアドレスに基づいてサーボ制御部１０５におけるサーボ制御によってピックアップの位置制御がなされ、所定アドレス位置において光ディスクに対するデータ記録再生が行なわれる。
【００３５】
なお、図３に示すＬＰＰ信号検出部の構成では、２乗処理部２０２をゲイン制御部２０３の前段に設定した構成としてあるが、ゲイン制御部２０３を前段にして、半波整流信号（Ｘ）に対してゲイン制御部２０３においてゲイン制御した信号を２乗処理部２０２に入力して２乗信号を生成して、これをコンパレータ２０７に入力する構成としてもよい。
【００３６】
また、図３に示すＬＰＰ信号検出部の構成では、２乗処理部２０２によって、ＬＰＰ信号とノイズ信号との差分を拡大する処理を実行する構成として説明したが、図３に示す２乗処理部に限らず、ＬＰＰ信号とノイズ信号との差分を拡大する信号処理が可能な信号処理回路、すなわち入力信号の非線形処理が実現される構成であればよく、たとえば、２乗回路を組み合わせた４乗回路などを適用してもよい。
【００３７】
図３に示すＬＰＰ信号検出部を適用することで、ＬＰＰ信号と、ノイズ成分の差分が拡大し、正確なＬＰＰ信号の検出が可能となり、正確なアドレス情報に基づくピックアップ制御が実現される。シミュレーションによる評価結果としては、図４に示す入力信号（ＩＮ）に基づく半波整流信号（Ｘ）では、ノイズとＬＰＰ信号の差、Δａは、
Δａ≒０．６（ａｍｐｌｉｔｕｄｅ）
であり、例えば、図４に示す閾値（Ｔｈ）の設定、すなわち、
Ｔｈ＝−０．５（ａｍｐｌｉｔｕｄｅ）
とした場合、
閾値（Ｔｈ）と、最大ノイズ信号２５２とのマージン（δａ）は、
δａ≒０．１
しかなく、最大ノイズがさらに大きくなった場合、ＬＰＰ信号として誤検出される可能性が高い。
【００３８】
一方、図５に示す２乗信号（Ｘ２）では、ノイズとＬＰＰ信号の差、Δｂは、
Δｂ≒０．８５（ａｍｐｌｉｔｕｄｅ）
であり、例えば、図５に示す閾値（Ｔｈ）の設定、すなわち、
Ｔｈ＝０．５（ａｍｐｌｉｔｕｄｅ）
とした場合、
閾値（Ｔｈ）と、最大ノイズ信号２７２とのマージン（δｂ）は、
δｂ≒０．３５
に拡大され、最大ノイズがさらに大きくなった場合でも、ＬＰＰ信号として誤検出される可能性は低く、正確なＬＰＰ信号検出が実現される。
【００３９】
次に、図６を参照して、本発明の第２実施例のＬＰＰ信号検出部の回路構成を示す。図６に示すＬＰＰ信号検出部は、半波整流部３０１、２乗処理部３０２、ゲイン制御部３０３、閾値出力部３０８、コンパレータ３０９を有する。第２実施例では、ゲイン制御部３０３は、ゲインコントロールアンプ（ＧＣＡ）３０４、積分回路３０５、Ａ／Ｄ変換部３０６、ゲイン調整値出力部３０７を有する構成となっている。
【００４０】
本実施例では、２乗処理部３０２において生成された２乗信号（Ｘ２）に基づいて、ゲイン制御部３０３におけるゲイン制御を調整する処理構成を持つ。このゲイン制御はフイードフォワード制御として実行されることになる。
【００４１】
入力信号（ＩＮ）は、先の実施例と同様、図１に示す光ディスク１００から読み取られた信号であり、レベル変動とＲＦの漏れ込み、ウォブル信号、その他のノイズを含んだ入力信号であり端子ＩＮより入力され、負の半波整流部２０１に入力される。負の半波整流部３０１では、入力信号（ＩＮ）に対して、負の半波整流を行ない、負の振幅成分のみの負の半波整流信号（Ｘ）を生成し、２乗処理部３０２に出力する。
【００４２】
２乗処理部３０２において、半波整流信号（Ｘ）の２乗処理が実行され、２乗信号（Ｘ２）が生成されて出力される。２乗処理部３０２における２乗処理の結果、生成される２乗信号（Ｘ２）は、先に図５を参照して説明した信号であり、ＬＰＰ信号部に相当するピークを示す信号部２７１が、図４に示した半波整流信号（Ｘ）より大きく突出した信号とされた信号である。
【００４３】
本実施例では、この２乗処理部３０２において生成された２乗信号（Ｘ２）をゲイン制御部３０３のゲインコントロールアンプ（ＧＣＡ）３０４に出力するとともに、ゲイン制御部３０３の積分回路３０５に出力し、２乗信号（Ｘ２）の積分値を算出した後、積分値をＡ／Ｄ変換部３０６に入力してデジタル値に変換して、このデジタル値をゲイン調整値出力部３０７を介して、ゲインコントロールアンプ３０４に出力するゲイン調整値（Ｇ）として、このゲイン調整値（Ｇ）に基づいて、２乗処理部３０２において生成された２乗信号（Ｘ２）のゲイン制御を行う構成としている。すなわち、２乗処理部３０２の出力信号に適用するゲイン制御パラメータとしてのゲイン調整値を、２乗信号（Ｘ２）に基づいて決定する構成としている。
【００４４】
前述したように、ゲイン制御処理は、コンパレータ３０９に対する入力レベルを一定に保持するために行なわれる処理である。本実施例では、２乗処理部３０２において生成される２乗信号（Ｘ２）を入力してゲイン制御のレベルを決定する構成であるので、コンパレータ３０９に対する入力レベルを、より正確に調整することが可能となる。
【００４５】
コンパレータ３０９では、ゲイン制御部３０３から入力するゲイン制御出力値（Ｇ・Ｘ２）と、閾値出力部３０８の出力する所定の閾値（Ｔｈ）との比較によるスライス処理がなされ、２値化ＬＰＰ信号を出力する。２値化ＬＰＰ信号は、図１に示すシステム制御部１０４に入力され、入力ＬＰＰ信号に基づいて算出されるアドレスに基づいてサーボ制御部１０５におけるサーボ制御によってピックアップの位置制御がなされ、所定アドレス位置において光ディスクに対するデータ記録再生が行なわれる。
【００４６】
図６に示すＬＰＰ信号検出部を適用することで、図３を参照して説明した第１実施例と同様、ＬＰＰ信号と、ノイズ成分の差分が拡大し、正確なＬＰＰ信号の検出が可能となり、正確なアドレス情報に基づくピックアップ制御が実現される。さらに、本実施例では、コンパレータ３０９に対する入力レベルが、２乗処理部３０２において生成される２乗信号（Ｘ２）に対応して決定される制御値に基づいて制御される構成であるので、コンパレータ３０９に対する入力レベルが正確に調整され、コンパレータにおけるスライス処理が正確に行われることになり、入力信号に対応した正確なＬＰＰ検出アドレス検出が実現される。
【００４７】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、冒頭に記載した特許請求の範囲の欄を参酌すべきである。
【産業上の利用可能性】
【００４８】
以上、説明したように、本発明の一実施例の構成によれば、光ディスクに形成されたランドプリピット（ＬＰＰ）信号の検出処理を実行する信号検出構成において、ディスクからの読み取り信号に含まれるランドプリピット（ＬＰＰ）信号とノイズ成分の差分拡大を、例えば２乗回路などの非線形信号処理によって実行する。２乗回路の処理信号をゲイン調整してコンパレータに入力し、予め設定された閾値との比較を実行して２値化ＬＰＰ信号を出力する。本構成により、ディスクからの読み取り信号にＲＦ信号やウォブル信号などの比較的大きなノイズ成分が含まれる場合であっても、ＬＰＰ信号とノイズ信号との差分が拡大され、正確なＬＰＰ信号の検出が可能となる。
【図面の簡単な説明】
【００４９】
【図１】光ディスクからの読み取り信号波形の時間推移に伴う変化を示す図である。
【図２】本発明の一実施例に係る情報処理装置におけるＬＰＰ（ランドプリピット）信号の検出およびサーボ制御構成を示すブロック図である。
【図３】本発明の一実施例のＬＰＰ信号検出部の回路構成を示す図である。
【図４】半波整流部２０１の出力する負の半波整流信号（Ｘ）波形を示す図である。
【図５】２乗処理部２０２における２乗処理の結果、生成される２乗信号（Ｘ２）波形を示す図である。
【図６】本発明の第２実施例のＬＰＰ信号検出部の回路構成を示す図である。
【符号の説明】
【００５０】
１１  ＬＰＰ信号
１２  ノイズ信号
１００  光ディスク
１０１  ピックアップ
１０２  読み取り信号処理部
１０３  ＬＰＰ信号検出部
１０４  システム制御部
１０５  サーボ制御部
２０１  半波整流部
２０２  ２乗処理部
２０３  ゲイン制御部
２０４  ゲインコントロールアンプ（ＧＣＡ）
２０５  ゲイン調整値出力部
２０６  閾値出力部
２０７  コンパレータ
２５１  ＬＰＰ信号
２５２  最大ノイズ信号
２７１  ＬＰＰ信号
２７２  最大ノイズ信号
３０１  半波整流部
３０２  ２乗処理部
３０３  ゲイン制御部
３０４  ゲインコントロールアンプ（ＧＣＡ）
３０５  積分回路
３０６  Ａ／Ｄ変換部
３０７  ゲイン調整値出力部
３０８  閾値出力部
３０９  コンパレータ
【図１】
2007048384.tif 000003
【図２】
2007048384.tif 000004
【図３】
2007048384.tif 000005
【図４】
2007048384.tif 000006
【図５】
2007048384.tif 000007
【図６】
2007048384.tif 000008